(57)【要約】【課題】  本発明は、トイレ表ドア−のドア−ノブの指令ボタンにより、便器の高低指定移動と必要時の肘掛がトイレに入る前に用意できることで、幼児から体の不自由な方にやさしく安全で、不潔感の強い便座と洗浄ノズルのスチーム洗浄ができて、便座が温風乾燥され、立小便の位置に便器を合わすことで周りを汚さず、清潔で気分よく用をたすことができる新型トイレを提供する。【解決手段】  本発明は、トイレ表ドア−のドア−ノブの指令ボタンにより便器の高低指定移動と必要時の肘掛がトイレに入る前に大小便の用意ができて、使用後オフボタンを押すか、時間が経つと自動的に便器が降下して便器収納器に収まり、便蓋が閉まり密閉され、便座のスチーム洗浄と、洗浄ノズルのスチームリングからスチーム噴射している間に洗浄ノズルの前後運動で洗浄ノズルのスチーム洗浄ができて、その後、便座が温風乾燥されることを特徴とする新型トイレを提供する。【選択図】図１
2007255175.tif 000002
【特許請求の範囲】
【請求項１】
平板状の台座（６）と、この台座（６）の上に置かれた便器収納器（４）と、この便器収納器（４）の内に収められた上部に馬蹄形の便座（２）が固着している便器（１）と、この便器（１）の左右に延設された一対の袖箱（９１、９２）と、この袖箱（９１、９２）を貫通して台座（６）を垂直に立設された二本の支柱（５１、５２）と、台座（６）の後方に立設された機器収納器（１０）から成るトイレであって、上記支柱（５１、５２）の周縁の一部は、直線ウォーム（１１１、１１２）が設けられていて、上記袖箱（９１、９２）の内部には、この直線ウォーム（１１１、１１２）と噛合っている円筒ウォーム（４６１、４６２）と、この円筒ウォーム（４６１、４６２）は各々歯車を介して駆動するモーター（４９１、４９２）が内蔵されていて、一方便器（１）の後方から洗浄ノズル（３７）が水平方向に出入りするように設けられていて、出入りする入口には洗浄ノズル（３７）がくぐり抜けるリング状のスチームリング（３４）が設けられ、このスチームリング（３４）にはリングスチーム孔（３５）が設けられていて、上記機器収納器（１０）の内に収められているスチーム殺菌用のスチーム清掃装置（１３）からスチーム管（２５）でつながり、さらに機器収納器（１０）に収められた水洗用の水は水タンク（３０）からタンク水管（３３）につながり、洗浄ノズル（３７）から噴水するための洗浄用水管（２８）の３配管を伸縮性配管によって便器（１）につながれていて、また、便蓋（３）は機器収納器（１０）の前面側の凹部に収まり、この便蓋（３）は便器収納器（４）の後方上部で開閉自在に固着され、便蓋（３）の裏側には便座（２）に沿ってスチーム噴射するようにスチーム清掃装置（１３）から便蓋スチーム（１７）にスチーム孔（１８）が多数設けられ、さらに便蓋（３）には便座（２）を温風乾燥するために温風乾燥装置（１２）から乾燥ドラム（１９）に多数の乾燥孔（２０）が設けられていて、加えて、袖箱（９１、９２）の上には肘掛台筒（７１、７２）を設け、肘掛台筒（７１、７２）には前方で水平になす肘掛（８１、８２）が設けられていて、この肘掛（８１、８２）は折りたたみと成されたことを特徴とする新型トイレ。
【請求項２】
上記肘掛（８１、８２）の軸支する軸の端部に固着したウォームホイール（５４１、５４２）と、このウォームホイール（５４１、５４２）と噛合う鼓形ウォーム（５３１、５３２）は肘掛台筒（７１、７２）の前方で上端部に立設して収められ、この鼓形ウォーム（５３１、５３２）を駆動するモーター（５２１、５２２）とから構成されていることを特徴とする請求項１記載の新型トイレ。
【請求項３】
本トイレを取り付けているトイレ室の表トイレドア−（４３）のドア−ノブ（４２）に押しボタン式発信装置である便器上下ボタン（４０）の便器高低指定移動及び肘掛ボタン（３９）の肘掛自動設営を設け、便器（１）の袖箱（９１）にある洗浄装置リモコン（２６）の中に便器高低指定移動及び肘掛自動設営をするセンサーを設けることで成ることを特徴とする請求項１記載の新型トイレ。
【発明の詳細な説明】
【技術分野】
【０００１】  本発明は、自動操作である発信ボタンを表トイレドア−のドア−ノブに設置し、発信ボタンをトイレに入る前に使用者自身の大小便に合わせ便器の高低指定移動と必要時に肘掛が用意できる装置、便器と便座を一体化による簡素化、使用後、全自動による便座と洗浄ノズルのスチーム殺菌のスチーム清掃装置と、さらに温風乾燥装置による便座の乾燥ができる方法に関する。
【背景技術】
【０００２】  従来、トイレに洗浄装置のついたものや、トイレの中に入ってから便座や便蓋の指令操作をする方法の自動開閉装置、便座だけをスチーム殺菌する方法のものがある。【０００３】  この改善に、新型トイレは、トイレ表ドア−のドア−ノブの発信ボタンにより便器の高低指定移動及び必要時の肘掛がトイレに入る前に使用者自身の大小便の用意ができて、使用後オフボタンを押すか時間が経つと自動的に便器が降下して便器収納器に収まり、便蓋が閉まり密閉され、便座のスチーム洗浄と、洗浄ノズルのスチームリングからスチーム噴射している間に洗浄ノズルの前後運動で洗浄ノズルのスチーム洗浄ができて、その後、便座が温風乾燥されるトイレを実現した。
【特許文献１】特開２０００−３０３５３５号広報
【特許文献２】特開２００３−１１６７４６号広報
【非特許文献１】ＴＯＴＯ  ウォシュレット２００２．７
【発明の開示】
【発明が解決しようとする課題】
【０００４】  従来の技術では、トイレに入ってから自動開閉装置の指令操作をする為、便蓋と便座の開口する時間が煩わしく、従来のトイレに座る高さが変えられない、そして洗浄装置の洗浄ノズルの汚れと便座の不衛生で気持ちよく用をたせない問題がある。
【課題を解決するための手段】
【０００５】  上記目的を達成するために、本発明は請求項１において、平板状の台座（６）と、この台座（６）の上に置かれた便器収納器（４）と、この便器収納器（４）の内に収められた上部に馬蹄形の便座（２）が固着している便器（１）と、この便器（１）の左右に延設された一対の袖箱（９１、９２）と、この袖箱（９１、９２）を貫通して台座（６）を垂直に立設された二本の支柱（５１、５２）と、台座（６）の後方に立設された機器収納器（１０）から成るトイレであって、上記支柱（５１、５２）の周縁の一部は、直線ウォーム（１１１、１１２）が設けられていて、上記袖箱（９１、９２）の内部には、この直線ウォーム（１１１、１１２）と噛合っている円筒ウォーム（４６１、４６２）と、この円筒ウォーム（４６１、４６２）は各々歯車を介して駆動するモーター（４９１、４９２）が内蔵されていて、一方便器（１）の後方から洗浄ノズル（３７）が水平方向に出入りするように設けられていて、出入りする入口には洗浄ノズル（３７）がくぐり抜けるリング状のスチームリング（３４）が設けられ、このスチームリング（３４）にはリングスチーム孔（３５）が設けられていて、上記機器収納器（１０）の内に収められているスチーム殺菌用のスチーム清掃装置（１３）からスチーム管（２５）でつながり、さらに機器収納器（１０）に収められた水洗用の水は水タンク（３０）からタンク水管（３３）につながり、洗浄ノズル（３７）から噴水するための洗浄用水管（２８）の３配管を伸縮性配管によって便器（１）につながれていて、また、便蓋（３）は機器収納器（１０）の前面側の凹部に収まり、この便蓋（３）は便器収納器（４）の後方上部で開閉自在に固着され、便蓋（３）の裏側には便座（２）に沿ってスチーム噴射するようにスチーム清掃装置（１３）から便蓋スチーム（１７）にスチーム孔（１８）が多数設けられ、さらに便蓋（３）には便座（２）を温風乾燥するために温風乾燥装置（１２）から乾燥ドラム（１９）に多数の乾燥孔（２０）が設けられていて、加えて、袖箱（９１、９２）の上には肘掛台筒（７１、７２）を設け、肘掛台筒（７１、７２）には前方で水平になす肘掛（８１、８２）が設けられていて、この肘掛（８１、８２）は折りたたみと成されたことを特徴とする新型トイレを提供し課題を解決する。【０００６】  上記目的を達成するために、本発明は請求項２において、上記肘掛（８１、８２）の軸支する軸の端部に固着したウォームホイール（５４１、５４２）と、このウォームホイール（５４１、５４２）と噛合う鼓形ウォーム（５３１、５３２）は肘掛台筒（７１、７２）の前方で上端部に立設して収められ、この鼓形ウォーム（５３１、５３２）を駆動するモーター（５２１、５２２）とから構成されていることを特徴とする請求項１記載の新型トイレを提供し課題を解決する。【０００７】  上記目的を達成するために、本発明は請求項３において、本トイレを取り付けているトイレ室の表トイレドア−（４３）のドア−ノブ（４２）に押しボタン式発信装置である便器上下ボタン（４０）の便器高低指定移動及び肘掛ボタン（３９）の肘掛自動設営を設け、便器（１）の袖箱（９１）にある洗浄装置リモコン（２６）の中に便器高低指定移動及び肘掛自動設営をするセンサーを設けることで成ることを特徴とする請求項１記載の新型トイレを提供し課題を解決する。
【発明の効果】
【０００８】  本発明の新型トイレは、トイレ表ドア−のドア−ノブの指令ボタンにより便器の高低指定移動と必要時の肘掛がトイレに入る前に用意できて、使用後オフボタンを押すか、一定の時間が経つと自動的に便器が降下して便器収納器に収まり、便蓋が閉まり密閉され、便座のスチーム洗浄と洗浄ノズルのスチームノズルからスチーム噴射している間に洗浄ノズルの前後運動でスチーム洗浄ができて、その後、便座を温風乾燥され清潔で気分よく用をたすことの出来る利点がある。
【発明を実施するための最良の形態】
【０００９】  新型トイレは、表トイレドア−に便器高低指定移動と肘掛設営の指令ボタンを設け、平板状の台座と、この台座の上に置かれた便器収納器と、この便器収納器の内に収められた上部に馬蹄形の便座が固着している便器と、この便器の左右に延設された一対の袖箱と、この袖箱を貫通して台座を垂直に立設された二本の支柱と、台座の後方に立設された機器収納器には水洗タンクと、便座と洗浄ノズルをスチーム殺菌するスチーム清掃装置と、便座を温風乾燥する温風乾燥装置から成るトイレを実現した。
【実施例１】
【００１０】  図１と図２は、平板状の台座（６）と、この台座（６）の上に置かれた樹脂製の便器収納器（４）と、この便器収納器（４）の内に収められた上部に樹脂製の保温装置の内蔵した馬蹄形の便座（２）が固着している金属製に塗装をほどこした便器（１）と、この便器（１）の左右に延設された一対の袖箱（９１、９２）と、この袖箱（９１、９２）を貫通して台座（６）を垂直に立設された二本の金属製の支柱（５１、５２）と、台座（６）の後方に立設された機器収納器（１０）から成るトイレであって、袖箱（９１、９２）の上には使用者を支柱（５１、５２）と直接触れない為の安全ガードする肘掛台筒（７１、７２）を設け、肘掛台筒（７１、７２）には前方で水平になす肘掛（８１、８２）が設けられていて、この肘掛（８１、８２）は折りたたみになされていることを特徴とする新型トイレの説明図。
３図は、便器（１）が便器収納器（４）に収まり、既存の自動開閉装置の便蓋（３）は機器収納器（１０）の前面側の凹部に収まり、また便器収納器（４）の後方上部で開閉自在に固着され、便蓋（３）の裏側にはスチームが噴射するようにスチーム清掃装置（１３）からスチーム管（２３，２４）を介して便蓋スチーム（１７）に多数のスチーム孔（１８）が設けられて、さらに便蓋（３）には便座（２）を温風乾燥するために温風乾燥装置（１２）から乾燥管（２２）を介して乾燥ドラム（１９）に多くの乾燥孔（２０）が設けられ、機器収納器（１０）の上部にはメインリモコン（２１）が設けられた正面図。【００１１】  図４は、樹脂製の便蓋（３）の裏側に便蓋（３）の型に密着した便蓋裏板（５７）を添わせ、この便蓋裏板（５７）の表側には便蓋スチーム（１７）の凸部と、この凸部に多数のスチーム孔（１８）が設けられて、さらに便蓋裏板（５７）の表側には乾燥ドラム（１９）の凸部と、この凸部に乾燥孔（２０）が多数設けられていて、便蓋（３）と便蓋裏板（５７）の間にスチームと温風の圧力に耐えられるパッキング（５５）が設けられ、便蓋（３）と便蓋裏板（５７）をネジ（５６）で固定されている断面図。
図５は、便蓋（３）の開いた時は機器収納器（１０）の前面側の凹部に収まり、便器（１）と一体化された便座（２）には使用者自身の保温装置が内蔵され、袖箱（９１）に洗浄装置リモコン（２６）が設けられていて、便蓋（３）と便器収容器（４）は密閉されるため、便器収容器（４）の後方に換気フィルター口（１５）が設けられていることを示す図１の上から見た説明図。
６図は、便器（１）には機器収納器（１０）に収められたスチーム清掃装置（１３）からスチーム管（２５）を経てスチームが供給されるようになされていて、水洗用の水は水タンク（３０）からのタンク水管（３３）と、水道栓（２７）から洗浄ノズル（３７）の洗浄用水管（２８）との３配管（２５、３３、２８）を伸縮性配管によって便器（１）につながれていて、そして便蓋（３）の裏側のスチーム噴射はスチーム清掃装置（１３）からスチーム管（２３、２４）を介して便蓋スチーム（１７）につながれていて、さらに便蓋（３）には便座（２）を温風乾燥するために温風乾燥装置（１２）に乾燥管（２２）を介して乾燥ドラム（１９）につながれている機器収容器（１０）の正面断面図。【００１２】  ７図と８図は、便器（１）の後方で便座（２）の下に、洗浄噴水孔（３８）のある洗浄ノズル（３７）が水平方向に出入りするように設けられていて、出入りする入口には洗浄ノズル（３７）がくぐり抜けるリング状のスチームリング（３４）が設けられ、このスチームリング（３４）にはリングスチーム孔（３５）が多数設けられているところを示した断面図。
【実施例３】
【００１３】  ９図は、本トイレを取り付けているトイレ室の表トイレドア−（４３）のドア−ノブ（４２）に押しボタン式発信装置で、便器（１）の高低指定移動である便器上下ボタン（４０）及び肘掛自動設営の肘掛ボタン（３９）と、便座（１）が便座収納器（４）に収まりスチーム清掃と温風乾燥が終了したことを示す赤青ランプ（３６）を設け、また幼児の背丈に合わせてトイレドア−ノブ（４２）の下側に便座上下ボタン（４０）と同様の役目をする幼児用ボタン（５８）を設け、トイレの便座（１）の袖箱（９１）にある洗浄装置リモコン（２６）の中にセンサーを設け、トイレドア−（４３）の外から便器（１）の高低指定移動及び肘掛（８１、８２）の自動設営を成す為のトイレドア−の正面図。
１０図は、メインリモコン（２１）はテレビリモコンと同様の役目で、一般家庭ではトイレを多く使用する時間帯には洗浄ノズル（３７）だけをスチーム洗浄する記憶装置を設定し時間を短縮し、家族個々の便器高低記憶設定などもできるように便器上下ボタン（４０）と上下調整ボタン（４１）と肘掛設営の肘掛ボタン（３９）と記憶ボタン（４５）とオフボタン（４４）を組合せて設定することで、タイマー内蔵の液晶モニター（５１１）で設定を確認するように成されたメインリモコン（２１）の正面図。
１１図は、支柱（５１、５２）の周縁の一部は、直線ウォーム（１１１、１１２）が設けられていて、袖箱（９１、９２）の内部には、この直線ウォーム（１１１、１１２）と噛合っている円筒ウォーム（４６１、４６２）と、この円筒ウォーム（４６１、４６２）と同軸にある歯車（４７１、４７２）はチェーン（５０）を介して同回転になり、歯車（４７１、４７２）と噛合う歯車（４８１、４８２）を駆動するモーター（４９１、４９２）が内蔵されていて、モーター（４９１、４９２）を駆動することで便器（１）が昇降する仕組みの裏から見た断面図。
【実施例２】
【００１４】  １２図は、袖箱（９１、９２）の上には肘掛台筒（７１、７２）を設け、肘掛台筒（７１、７２）には前方で水平になす肘掛（８１、８２）が設けられていて、この肘掛（８１、８２）は折りたたみとなされていて、肘掛（８１、８２）の軸支する軸の端部に固着したウォームホイール（５４１、５４２）と、このウォームホイール（５４１、５４２）に噛合い立設する鼓形ウォーム（５３１、５３２）が肘掛台筒（７１、７２）の上部に収められ、この鼓形ウォーム（５３１、５３２）を駆動するモーター（５２１、５２２）とから構成された断面図。
【産業上の利用可能性】
【００１５】  本発明の活用例として、自動操作である発信ボタンを表トイレドア−のドア−ノブに設置、発信ボタンをトイレに入る前に使用者自身の大小便に合わせ便器の高低指定移動と必要時に肘掛が用意できる装置、便器と便座を一体化して簡素化、便蓋に便座をスチーム殺菌する装置と洗浄ノズルのスチーム殺菌のスチーム清掃装置、さらに便蓋に便座を乾燥する温風乾燥装置を設置するため、幼児から老人に安全でやさしく清潔で、一般家庭はもとより病院、ホテル、百貨店など多くの方が利用するトイレに使用でき、また既存の陶器トイレに便座と洗浄ノズルのスチーム殺菌のスチーム清掃装置と便座を乾燥する温風乾燥装置を活用できる新型トイレを提供する。
【図面の簡単な説明】
【００１６】
【図１】は本発明の実施例１を示す立体説明図である。
【図２】は図１の右横から見た断面図である。
【図３】は本発明の新型トイレの正面図である。
【図４】は本発明の便蓋の仕組みを示した断面図である。
【図５】は本発明の新型トイレの上から見た図である。
【図６】は本発明の新型トイレにある機器収納器の断面図。
【図７】は本発明のスチームリングに洗浄ノズルを挿入した断面図。
【図８】は本発明の図７の前正面断面図。
【図９】は本発明のトイレドア−のドア−ノブにリモコンボタンの正面図。
【図１０】は本発明のメインリモコンにある発信ボタンの正面説明図。
【図１１】は本発明の便器の高低装置を示す裏から見た断面図。
【図１２】は本発明の肘掛設営の仕組みである断面図。
【符号の説明】
【００１７】１              便器
２              便座
３              便蓋
４              便器収納器
５１、５２      支柱
６              台座
７１、７２      肘掛台筒
８１、８２      肘掛
９１、９２      袖箱
１０            機器収納器
１１１、１１２  直線ウォーム
１２            温風乾燥装置
１３            スチーム清掃装置
１４            肘掛位置
１５            換気フイルター口
１６            排泄管
１７            便蓋スチーム
１８            スチーム孔
１９            乾燥ドラム
２０            乾燥孔
２１            メインリモコン
２２            乾燥管
２３、２４、２５  スチーム管
２６            洗浄装置リモコン
２７            水道栓
２８            洗浄用水管
２９            排泄口
３０            水タンク
３２            スチーム用水管
３３            タンク水管
３４            スチームリング
３５            リングスチーム孔
３６            赤青ランプ
３７            洗浄ノズル
３８            洗浄噴水孔
３９            肘掛ボタン
４０            便器上下ボタン
４１            上下調整ボタン
４２            ドア−ノブ
４３            トイレドア−
４４            オフボタン
４５            記憶ボタン
４６１、４６２  円筒ウォーム
４７１、４７２  歯車
４８１、４８２  歯車
４９１、４９２  モーター
５０            チェーン
５１１          液晶モニター
５２１、５２２  モーター
５３１、５３２  鼓形ウォーム
５４１、５４２  ウォームホイール
５５            パッキング
５６            ネジ
５７            便蓋裏板
５８            幼児用ボタン
【図１】
2007255175.tif 000003
【図２】
2007255175.tif 000004
【図３】
2007255175.tif 000005
【図４】
2007255175.tif 000006
【図５】
2007255175.tif 000007
【図６】
2007255175.tif 000008
【図７】
2007255175.tif 000009
【図８】
2007255175.tif 000010
【図９】
2007255175.tif 000011
【図１０】
2007255175.tif 000012
【図１１】
2007255175.tif 000013
【図１２】
2007255175.tif 000014